(57)【特許請求の範囲】
【請求項１】
機能の設定を行うことが可能な携帯端末であって、
前記設定の内容を示す設定情報を含むメールを受信する通信部と、
前記設定情報が示す内容の設定である要求設定の適用を許可するか否かを判断する旨の判断情報を通知する通知部と、
前記要求設定の適用を許可する許可情報と前記要求設定の適用を許可しない不許可情報とのいずれかを受け付ける入力部と、
前記入力部が前記許可情報を受け付けた場合、前記設定情報に基づいて、前記要求設定を適用する制御部と、を有し、
前記機能は、複数あり、
前記メールは、前記複数の機能のそれぞれの設定の内容を示す複数の設定情報を含み、
前記入力部は、前記複数の設定情報の少なくともいずれか一つを選択する個別選択情報をさらに受け付け、
前記制御部は、前記入力部が前記許可情報および前記個別選択情報を受け付けた場合、当該個別選択情報にて選択された設定情報に基づいて、当該設定情報が示す内容の要求設定を適用する、携帯端末。
【請求項２】
前記入力部は、前記複数の設定情報の全てを一括して選択する全選択情報をさらに受け付け、
前記制御部は、前記入力部が前記許可情報および前記全選択情報を受け付けた場合、前記複数の設定情報に基づいて、前記複数の設定情報のそれぞれが示す内容の要求設定を適用する、請求項１に記載の携帯端末。
【請求項３】
携帯端末に備わった機能の設定を行う設定方法であって、
前記設定の内容を示す設定情報を含むメールを受信する受信ステップと、
前記設定情報が示す内容の設定である要求設定の適用を許可するか否かを判断する旨の判断情報を通知する通知ステップと、
前記要求設定の適用を許可する許可情報と前記要求設定の適用を許可しない不許可情報とのいずれかを受け付ける入力ステップと、
前記許可情報が受け付けられた場合、前記設定情報に基づいて、前記要求設定を適用する適用ステップと、を有し、
前記機能は、複数あり、
前記メールは、前記複数の機能のそれぞれの設定の内容を示す複数の設定情報を含み、
前記入力ステップでは、前記複数の設定情報の少なくともいずれか一つを選択する個別選択情報をさらに受け付け、
前記適用ステップでは、前記許可情報および前記個別選択情報が受け付けられた場合、当該個別選択情報にて選択された設定情報に基づいて、当該設定情報が示す内容の要求設定を適用する、設定方法。
【請求項４】
前記入力ステップは、前記複数の設定情報の全てを一括して選択する全選択情報をさらに受け付け、
前記適用ステップでは、前記許可情報および前記全選択情報が受け付けられた場合、前記複数の設定情報に基づいて、前記複数の設定情報のそれぞれが示す内容の要求設定を適用する、請求項３に記載の設定方法。
【発明の詳細な説明】
【技術分野】
【０００１】
本発明は、携帯端末に備わった機能の設定を行う技術に関する。
【背景技術】
【０００２】
近年、携帯電話端末などの携帯端末には様々な機能が備わっており、ユーザは、携帯端末に予め搭載されているＭＭＩ（man machine interface：マンマシンインターフェース）を利用して携帯端末を操作することで、機能に対する設定を行うことができる。携帯端末に搭載されているＭＭＩでは、通常、ユーザは、階層構造を有するメニュー項目を、機能に応じて定められた設定順序で選択していくことで、その機能の設定を行うための設定画面を表示し、その設定画面を参照しながら機能の設定を行う。
【０００３】
しかしながら、最近では、携帯端末に備わっている機能が非常に多いため、各機能の設定を行うための設定順序を把握することが難しく、機能の設定を行うことが困難になっている。特に、携帯端末に搭載されるＭＭＩは統一されていないので、携帯端末のメーカまたは機種が異なると、同一または同様な機能の設定にも関わらず設定手順が異なっていることがある。このため、ユーザは、自身の携帯端末に備わった機能の設定を行うための設定手順を把握していても、携帯端末を変更すると、設定手順が変わってしまい、機能の設定を行うことが困難になる。
【０００４】
例えば、図１１に示すように、予め設定された設定時刻に音声を出力する目覚まし・アラーム機能の設定を行う場合、ユーザは、Ａ社およびＢ社の携帯端末では、メニュー項目を「Ｍｅｎｕ」、「ＬｉｆｅＫｉｔ」、「アラーム」の順に選択し、Ｃ社の携帯端末では、メニュー項目を「Ｍｅｎｕ」、「アクセサリ」、「目覚まし」の順に選択する必要があるとする。この場合、ユーザは、自身の携帯端末を、Ａ社またはＢ社の携帯端末からＣ社の携帯端末に変更すると、目覚まし・アラーム機能の設定が困難になってしまう。
【０００５】
これに対して、特許文献１および２には、電子メールを用いて機能の設定を行うことが可能な技術が記載されている。
【０００６】
特許文献１に記載の携帯電話機は、機能の設定内容を示す設定情報を含む電子メールを受信した場合、電子メール内の設定情報に従って機能の設定を行う。
【０００７】
特許文献２に記載の携帯電話端末では、機能の設定内容を示す設定情報がサーバに登録される。携帯電話端末は、サーバから設定情報の格納場所を含む電子メールを受信した場合、その格納場所から設定情報を取得し、その取得した設定情報に従って機能の設定を行う。なお、設定情報をサーバに登録する登録者は携帯端末のユーザとは別の人でもよく、ユーザが登録者に依頼して設定情報の登録を行うことができる。
【先行技術文献】
【特許文献】
【０００８】
【特許文献１】特開２００２−７７４３３号公報
【特許文献２】特開２００４−２９７５２６号公報
【発明の概要】
【発明が解決しようとする課題】
【０００９】
特許文献１および２に記載の技術では、ユーザが所望の設定内容とは異なる設定内容を示す設定情報を誤って送信したり、サーバに登録したりすると、ユーザの所望する設定内容とは異なる内容の設定が行われてしまう。このように誤った内容の設定が行われると、ユーザに不利益が生じる恐れがある。
【００１０】
特に特許文献２に記載の携帯電話端末において、設定情報をサーバに登録する登録者が携帯端末のユーザとは別の人の場合、登録者とユーザとの意思疎通が不十分であると、誤った設定内容を示す設定情報がサーバに登録されやすい。
【００１１】
本発明の目的は、機能の設定を容易に行うことを可能にしつつ、ユーザが所望する設定内容とは異なる内容の設定が行われることを軽減することが可能な携帯端末および設定方法を提供することである。
【課題を解決するための手段】
【００１２】
本発明による携帯端末は、機能の設定を行うことが可能な携帯端末であって、前記設定の設定内容を示す設定情報を含むメールを受信する通信部と、前記設定情報が示す設定内容の設定である要求設定の適用を許可するか否かを判断する旨の判断情報を通知する通知部と、前記要求設定の適用を許可する許可情報と前記要求設定の適用を許可しない不許可情報とのいずれかを受け付ける入力部と、前記入力部が前記許可情報を受け付けた場合、前記設定情報に基づいて、前記要求設定を適用する制御部と、を有する。
【００１３】
また、本発明による設定方法は、携帯端末に備わった機能の設定を行う設定方法であって、前記設定の設定内容を示す設定情報を含むメールを受信する受信ステップと、前記設定情報が示す設定内容の設定である要求設定の適用を許可するか否かを判断する旨の判断情報を通知する通知ステップと、前記要求設定の適用を許可する許可情報と前記要求設定の適用を許可しない不許可情報とのいずれかを受け付ける入力ステップと、前記許可情報が受け付けられた場合、前記設定情報に基づいて、前記要求設定を適用する適用ステップと、を有する。
【発明の効果】
【００１４】
本発明によれば、機能の設定を容易に行うことを可能にしつつ、ユーザが所望する設定内容とは異なる内容の設定が行われることを軽減することが可能になる。
【図面の簡単な説明】
【００１５】
【図１】本発明の第１の実施形態の通信システムを示すブロック図である。
【図２】携帯電話端末の構成の一例を示すブロック図である。
【図３】携帯電話端末に備わった機能の設定を行うためのＷｅｂページの一例を示す図である。
【図４】携帯電話端末に備わった機能の設定を行うためのＷｅｂページの他の例を示す図である。
【図５】設定を行うことが可能な機能の一例を示す図である。
【図６】携帯電話端末の動作の一例を説明するためのフローチャートである。
【図７】受信通知情報の一例を説明するための図である。
【図８】設定情報および判断情報を含む表示画面の一例を説明するための図である。
【図９】携帯電話端末の動作の他の例を説明するためのフローチャートである。
【図１０】設定情報および判断情報を含む表示画面の他の例を説明するための図である。
【図１１】携帯端末に備わった機能の設定を行うための設定手順の一例を説明するための図である。
【発明を実施するための形態】
【００１６】
以下、本発明の実施形態について図面を参照して説明する。なお、以下の説明では、同じ機能を有するものには同じ符号を付け、その説明を省略する場合がある。
【００１７】
図１は、本発明の第１の実施形態の通信システムを示すブロック図である。図１において、通信システムは、登録端末１と、サーバ２と、携帯電話端末３とを有する。また、サーバ２、登録端末１および携帯電話端末３は、ネットワーク１０を介して接続可能である。
【００１８】
登録端末１は、携帯電話端末３に備わった機能に対する設定の設定内容を示す設定情報をサーバ２に登録する。なお、登録端末１と携帯電話端末３とを別体としているが、登録端末１の機能は携帯電話端末３に備わっていてもよい。また、登録端末１が携帯電話端末３と別体の場合、登録端末１としては、例えば、携帯電話端末３とは別の携帯端末や、パーソナルコンピュータなどが挙げられる。
【００１９】
サーバ２は、登録端末１から登録された設定情報を含むメールを生成して端末設定情報メールとして携帯電話端末３に送信する。なお、端末設定情報メールは、電子メール（e-mail）でもよいし、ＳＭＳ（Short Message Service）メールでもよい。また、端末設定情報メールは、登録端末１から設定情報が登録されたタイミングで送信されてもよいし、設定情報の登録後に定期的に送信されてもよい。
【００２０】
携帯電話端末３は、サーバ２からの端末設定情報メールに含まれる設定情報に応じて、自身に備わった機能の設定を行うことが可能な携帯端末である。
【００２１】
図２は、携帯電話端末３の構成を示す図である。図２において、携帯電話端末３は、ユーザインターフェイスである表示部１０１およびキー操作部１０２と、無線部１０３と、記憶部１０４と、それらを制御する制御部１０５とを有する。
【００２２】
表示部１０１は、種々の情報を表示することで、ユーザに種々の情報を通知する通知部である。
【００２３】
キー操作部１０２は、ユーザにて操作され、その操作に応じた情報を受け付ける入力部である。本実施形態では、キー操作部１０２は、端末設定情報メールに含まれる設定情報が示す設定内容の設定である要求設定の適用を許可する許可情報と、本要求設定の適用を許可しない不許可情報とのいずれかを受け付ける。
【００２４】
無線部１０３は、無線通信を行い、ネットワーク１０上の種々の装置と通信する通信部である。例えば、無線部１０３は、ネットワーク１０を経由して、種々の装置から、端末設定情報メールなどのメールを受信する。
【００２５】
記憶部１０４は、コンピュータにて読み取り可能な記録媒体であり、コンピュータの動作を規定するプログラムを記録する。また、記憶部１０４は、コンピュータにて使用される種々の情報を記憶する。
【００２６】
制御部１０５は、コンピュータであり、記憶部１０４に記憶されたプログラムを読み取り、その読み取ったプログラムを実行して以下の処理を実行する。
【００２７】
例えば、無線部１０３が端末設定情報メールを受信した場合、制御部１０５は、その端末設定情報メールに含まれる設定情報が示す内容の要求設定を許可するか否かを判断する旨の判断情報を表示部１０１に表示する。
【００２８】
また、判断情報を確認したユーザからキー操作部１０２が要求設定の適用を許可する許可情報を受け付けた場合、制御部１０５は、端末設定情報メールに含まれる設定情報を記憶部１０４に記憶して、要求設定を適用する。このとき、記憶部１０４に別の設定情報が既に記憶されている場合、制御部１０５は、記憶部１０４内の設定情報を、端末設定情報メールに含まれる設定情報に更新する。
【００２９】
次に通信システムの動作を説明する。
【００３０】
初めにサーバ３がメールを送信するまでの動作を説明する。
【００３１】
先ず、設定情報の登録者は、登録端末１を用いてサーバ２にアクセスすると、サーバ２は、携帯電話端末３に備わった機能の設定を行うための設定画面をＷｅｂページとして示すＷｅｂ情報を登録端末１に送信する。登録端末１は、Ｗｅｂ情報を受信すると、Ｗｅｂ情報が示すＷｅｂページを表示する。
【００３２】
図３は、Ｗｅｂページの一例を示す図である。図３では、携帯電話端末３に備わった機能として、予め設定された設定時刻に音声を出力する目覚まし・アラーム機能を例示している。
【００３３】
図３に示すＷｅｂページ２００は、携帯電話端末３の機能を設定するためのメニュー項目として、携帯電話端末３のメーカを選択するチェックボックス２０１と、携帯電話端末３の機種を選択するボタン２０２と、目覚まし・アラーム機能の設定内容を選択するチェックボックス２０３とを有する。
【００３４】
なお、携帯電話端末３のメーカや機種によっては、目覚まし・アラーム機能を有していないものがある。このため、チェックボックス２０１およびボタン２０２にて、目覚まし・アラーム機能を有していない携帯電話端末３が選択された場合、図４で示すように、チェックボックス２０３が選択できないように、チェックボックス２０３をグレーアウトしてもよい。また、Ｗｅｂページにおけるメニュー項目としては、階層構造のないまたは浅いものが望ましい。
【００３５】
動作の説明に戻る。登録者は、Ｗｅｂページが表示されると、そのＷｅｂページを参照しながら登録端末１を操作して機能の設定内容を選択する。登録端末１は、その選択された設定内容を示す設定情報をサーバ２に送信する。サーバ２は、設定情報を受信すると、その設定情報を含む端末設定情報メールを生成して、ネットワーク１０を介して携帯電話端末３に送信する。
【００３６】
端末設定情報メールの送信先となる携帯電話端末３のメールアドレスは、サーバ２に予め登録されていてもよいし、サーバ２が登録端末から設定情報とともに受信してもよい。また、端末設定情報メールの送信元となるサーバ１のメールアドレスは固定されているものとする。
【００３７】
なお、Ｗｅｂページを用いて設定内容を選択可能な機能は、目覚まし・アラーム機能に限らず適宜変更可能であり、例えば、着信を通知する着信音にかかる着信通知機能や、省電力を図るための省電力機能などでもよい。また、Ｗｅｂページを用いて設定内容を選択可能な機能は、図５で示すように複数あってもよい。この場合、登録者は、設定を希望する機能の設定内容のみを選択してサーバ２に送信できるものとする。
【００３８】
次に携帯電話端末３の動作を説明する。
【００３９】
図６は、携帯電話端末３の動作の
一例を説明するためのフローチャートである。
【００４０】
無線部１０３は、メールを受信すると、その受信したメールを受信メールとして制御部１０５に出力する。制御部１０５は、受信メールを受け付けると、その受信メールを記憶部１０４に記憶する（ステップＳ６０１）。
【００４１】
その後、キー操作部１０２が、記憶部１０４に記憶された受信メールの閲覧を要求する閲覧要求を受け付けると、制御部１０５は、その閲覧要求にて閲覧が要求された受信メールである閲覧対象メールを記憶部１０４から取得する（ステップＳ６０２）。
【００４２】
制御部１０５は、所定の判断条件に基づいて、記憶部１０４から取得した閲覧対象メールが端末設定情報メールか否かを判断する（ステップＳ６０３）。
【００４３】
判断条件は、記憶部１０４に予め登録されていてもよいし、ユーザ選択されて記憶部１０４に登録されてもよい。
【００４４】
判断条件は、例えば、閲覧対象メールの送信元のメールアドレスが所定のメールアドレス（サーバ１のメールアドレス）かを示す。この例では、所定のメールアドレスが記憶部１０４に予め記憶され、制御部１０５は、閲覧対象メールの送信元のメールアドレスが所定のメールアドレスか否かを判断する。そして、閲覧対象メールの送信元のメールアドレスが所定のメールアドレスの場合、制御部１０５は、閲覧対象メールを端末設定情報メールと判断し、閲覧対象メールの送信元のメールアドレスが所定のメールアドレスでない場合、閲覧対象メールを端末設定情報メールでないと判断する。
【００４５】
また、判断条件は、上記の例に限らず、適宜変更可能である。例えば、判断条件は、メールのタイトルまたは本文に、特定の文字または文字列を含むか否かでもよい。
【００４６】
閲覧対象メールが端末設定情報メールでない場合、制御部１０５は、閲覧対象メールを表示部１０１に表示して(ステップＳ６０４)、処理を終了する。なお、本閲覧対象メールを表示する処理は、通常のメールを表示する表示処理と同じである。
【００４７】
一方、閲覧対象メールが端末設定情報メールの場合、制御部１０５は、端末設定情報メールを受信した旨の受信通知情報を表示部１０１に表示する（ステップＳ６０５）。
【００４８】
その後、制御部１０５は、端末設定情報メールから設定情報を抽出し（ステップＳ６０６）、その設定情報と、その設定情報に応じた要求設定の適用を許可するか否かを判断する旨の判断情報とを表示部１０１に表示する（ステップＳ６０７）。
【００４９】
その後、制御部１０５は、キー操作部１０２が許可情報と不許可情報のどちらを受け付けたかを監視して、要求設定の適用が許可されたか否かを判断する（ステップＳ６０８）。
【００５０】
キー操作部１０２が許可情報を受け付けた場合、制御部１０５は、要求設定の適用が許可されたと判断して、ステップＳ６０６で抽出した設定情報を記憶部１０４に記憶することで、設定情報に応じた要求設定を適用して（ステップＳ６０９）、処理を終了する。一方、キー操作部１０２が不許可情報を受け付けた場合、制御部１０５は、要求設定の適用が許可されていないと判断して、要求設定の適用を行わずに処理を終了する。
【００５１】
続いて、図７および図８を用いて、端末設定情報メールを閲覧した際の動作の具体例を説明する。
【００５２】
ステップＳ６０５において、閲覧対象メールが端末設定情報メールの場合、制御部１０５は、受信通知情報として、図７で示すような表示画面７００を表示部１０１に表示する。表示画面７００は、メールの受信日７０１、メールの送信元のメールアドレス７０２、メールのタイトル７０３、メールの本文の一部７０４、および、ＯＫボタン７０５を有する。
【００５３】
ここで、ユーザはＯＫボタン７０５を押下すると、携帯電話端末３は、ステップＳ６０６に移行して、端末設定情報メールから設定情報を抽出し、図８で示すような、設定情報および判断情報を含む表示画面８００を表示する。
【００５４】
表示画面８００は、設定情報８０１と、判断情報であるＯＫボタン８０１およびキャンセルボタン８０２とを有する。
【００５５】
ここで、ユーザは、設定情報に応じた要求設定の適用を許可する場合、キー操作部１０２を用いてＯＫボタン８０１を押下し、設定情報に応じた要求設定の適用を許可しない場合、キー操作部１０２を用いてキャンセルボタン８０２を押下する。
【００５６】
以上説明したように本実施形態によれば、メールに含まれる設定情報に応じた要求設定の適用を許可するか否かを判断する旨の判断情報が表示され、その後、要求設定の適用を許可する許可情報が受け付けられると、要求設定が適用される。このため、機能の設定を容易に行うことを可能にしつつ、ユーザが所望する設定内容とは異なる内容の設定が行われることを軽減することが可能になる。
【００５７】
次に本発明の第２の実施形態について説明する。
【００５８】
本実施形態では、端末設定情報メールには、複数の機能のそれぞれの設定内容を示す複数の設定情報が含まれる。また、設定内容は、複数の設定項目に分かれていてもよい。例えば、目覚まし・アラーム機能の場合、設定内容は、設定時刻が異なる複数の設定項目に分かれていてもよい。
【００５９】
また、要求設定の適用が許可される場合、キー操作部１０２は、許可情報に加えて、端末設定情報メールに含まれる設定情報の少なくともひとつを選択する個別選択情報と、端末設定情報メールに含まれる設定情報の全てを一括して選択する全選択情報との一方を受け付ける。
【００６０】
キー操作部１０２が許可情報および個別選択情報を受け付けた場合、制御部１０５は、端末設定情報メールに含まれる設定情報のうち、その個別選択操作にて選択された設定情報に基づいて、その選択された設定情報に応じた要求設定を適用する。
【００６１】
キー操作部１０２が許可情報および全選択情報を受け付けた場合、制御部１０５は、端末設定情報メールに含まれる設定情報のそれぞれに基づいて、各設定情報に応じた各要求設定を適用する。
【００６２】
図９は、本実施形態の携帯電話端末３の動作を説明するためのフローチャートである。なお、図９において、図６と同じ処理には同じ符号を付し、その説明を省略することがある。
【００６３】
ステップＳ６０８において、キー操作部１０２が許可情報を受け付けた場合、制御部１０５は、キー操作部１０２が個別選択情報と全選択情報のどちらを受け付けたかを判断して、機能の設定を個別に行うか否かを判断する（ステップＳ９０１）。
【００６４】
キー操作部１０２が個別選択情報を受け付けた場合、制御部１０５は、端末設定情報メールに含まれる設定情報のうち、個別選択情報にて選択された設定情報に基づいて、その選択された設定情報に応じた要求設定を適用して(ステップＳ９０２)、処理を終了する。
【００６５】
一方、キー操作部１０２が全選択情報を受け付けた場合、制御部１０５は、端末設定情報メールに含まれる設定情報のそれぞれに基づいて、各設定情報に応じた各要求設定を適用して（ステップＳ９０３）、処理を終了する。
【００６６】
続いて、図１０を用いて、端末設定情報メールを閲覧した際の動作の具体例を説明する。
【００６７】
ステップ６０７では、制御部１０５は、図１０に示すような、設定情報および判断情報表示画面１０００を表示部１０１に表示する。
【００６８】
表示画面１０００は、設定情報８０１と、ＯＫボタン８０１と、キャンセルボタン８０２と、各設定情報８０１を選択するためのチェックボックス１００１と、全ての設定情報８０１を一括して選択するためのチェックボックス１００２とを有する。また、チェックボックス１００１は、設定情報８０１が示す各選択項目を選択するためのチェックボックス１００２Ａと、設定情報８０１が示す全ての選択項目を一括して選択するチェックボックス１００２Ｂとを有する。
【００６９】
なお、ＯＫボタン８０１、キャンセルボタン８０２、チェックボックス１００１および１００２は、判断情報に含まれる。
【００７０】
ここで、要求設定の適用を許可する場合、ユーザは、適用したい機能および設定項目に対応するチェックボックス１００２、または、チェックボックス１００２をチェックして、ＯＫボタン８０１を押下する操作を行う。
【００７１】
図１０では、例として、目覚まし・アラーム機能の設定内容のうち、設定項目「アラーム設定１」を選択するチェックボックス１００２Ａがチェックされている。この場合、目覚まし・アラーム機能に対してのみ、設定項目「アラーム設定１」に対応する設定が携帯電話端末３に適用される。
【００７２】
以上説明したように本実施形態では、要求設定の適用を許可する機能を選択することができるので、利便性を高くすることが可能になる。また、全ての機能を一括して選択することもできるので、利便性をさらに高くすることができる。
【００７３】
以上説明した各実施形態において、図示した構成は単なる一例であって、本発明はその構成に限定されるものではない。
【００７４】
例えば、通信部としてスピーカを用いて、判断情報を音声でユーザに通知してもよい。
【００７５】
また、携帯端末は、携帯電話端末３に限らず適宜変更可能である。また、携帯端末が登録端末１として用いられてもよい。
【００７６】
また、登録端末１を操作する登録者と携帯端末のユーザは同一人物でもよし、異なる人物でもよい。
【符号の説明】
【００７７】
１      登録端末
２      サーバ
３      携帯電話端末
１０１  表示部
１０２  キー操作部
１０３  無線部
１０４  記憶部
１０５  制御部
【図１】
0005676306.tif 000002
【図２】
0005676306.tif 000003
【図３】
0005676306.tif 000004
【図４】
0005676306.tif 000005
【図５】
0005676306.tif 000006
【図６】
0005676306.tif 000007
【図７】
0005676306.tif 000008
【図８】
0005676306.tif 000009
【図９】
0005676306.tif 000010
【図１０】
0005676306.tif 000011
【図１１】
0005676306.tif 000012